(57)【要約】      （修正有）【課題】コードを巻いて収納するための、巻き取りレバー付きコード収納ケースを提供する。【解決手段】巻き取りレバー付きコード収納ケース１にコード収納室２を設け、収納するコード４ａ、４ｂをＬ字型フック３に引っ掛ける。コードは、巻き取りレバー付きコード収納ケース本体１の側面に設けたコードの出し入れをする穴５を通して、コード収納室２で巻くことにより、必要となるコード９ａ、９ｂの長さが調整できる。蓋７は巻き取りレバー付きコード収納ケース本体１の内部を確認するためのものある。コード９ａ、９ｂを長くしたいときは、蓋７を開けなくても、外部に出ているコード９ａ、９ｂを収納する方向と逆の方向に引くことで調整できる。さらにコード４ａ、４ｂを全て引き出すこともでき、コードと巻き取りレバー付きコード収納ケース本体１との分離が可能である。【選択図】図１
0003142044.tif 000002
【実用新案登録請求の範囲】
【請求項１】
円柱状のケースの側面にコードを出し入れするための穴を設け、上面に開閉可能な蓋を設るとともに、外側から内部に入れたコードを引っ掛けるためのフックと、フックに引っ掛けたコードを巻くための回転するフック付き円柱をケース内部に設け、円柱状のケースの底面に、フックに引っ掛けたコードを巻くためのレバーを設け、コードをケース内で巻きながら収納することによって、コードの長さの調整、コードの収納、コードの保護ができるとしたところを特徴とする巻き取りレバー付きコード収納ケース
【考案の詳細な説明】
【技術分野】
【０００１】  本考案は、コードを巻いて収納するための、巻き取りレバー付きのケースに関するものである。
【背景技術】
【０００２】  コードの必要とする長さ以上の余剰な部分は、そのまま放置されたり、輪ゴムや結束バンド等で束ねたり、コードと接続する媒体に直接巻いたりして使用され、簡単に長さの調整ができないでいた。
【考案の開示】
【考案が解決しようとする課題】
【０００３】  必要なコードの長さは使用する場所等によって異なり、必要な長さ以上の余剰な部分をそのままの状態で使用することにより、不意に引っ掛けてコードを破損したり、つまずいて危険な場合がある。また、必要な長さ以上の余剰な部分を輪ゴムや結束バンド等で束ねたり、コードと接続している媒体に直接巻いて使用する場合において、使う場所を変更する場合、その都度解く必要があり面倒である。よって、余剰なコードを巻き取りレバー付きケースに収納し、内部で巻くことでコードの長さを自由に調整することが可能になり、前述の欠点を解決しようとするものである。
【課題を解決するための手段】
【０００４】  本考案は、コードの長さを自由に調整できる機能を円柱状のケースに持たせ、必要な長さ以上の余剰な部分が生じてしまう際、余剰な部分を簡単に収納することが可能である。コードを巻くことで必要なコードの長さを自由に設定でき、またコードを使用しないときはコードをすべて巻き込んで収納することで、整った状態で保管や持ち運びをすることができる。さらに、コードを保護することもできる。
【考案の効果】
【０００５】  上記の様に、本考案の巻き取りレバー付きコード収納ケースは、コードの収納ケースとして使用でき、コードの使用する長さを簡単に調整できるものであり、コードを保護するカバーとしても役立つものである。コードの太さに比例して、巻き取りレバー付きコード収納ケースの大きさや容量を変更すれば、イヤホンコードの様な細めのコードから、一般の家庭で使われる１００ボルト用コード等の太目のコードの収納も可能になる。コードの長さと必要な長さが同じである場合は、巻き取りレバー付きコード収納ケースは不要なので、夫々分離することができる。
【考案を実施するための最良の形態】
【０００６】  巻き取りレバー付きコード収納ケースの側面にコードを出し入れするための穴を設け、巻き取りレバー付きコード収納ケースの上面に確認用の開閉可能な蓋を設け、外側から内部に挿入したコードを引っ掛けるためのフックと、フックに引っ掛けたコードを巻くための回転するフック付きの円柱をケース内部に設け、巻き取りレバー付きコード収納ケースの底面にフックに引っ掛けたコードを巻くためのレバーを設け、フックに引っ掛けたコードを巻くときは、巻き取りレバー付きコード収納ケースの底面のフックに引っ掛けたコードを巻くためのレバーを回転させることにより、巻き取りレバー付きコード収納ケースの内部にコードが収納されていく。巻き取りレバー付きコード収納ケース内でコードを巻きながら収納することによって、コードの長さを自由に調整できる。また、携帯時にはコードの収納ケースとして使用できる。巻き取りレバー付きコード収納ケースの内部に収納されているコードは、むきだしの状態ではなく、巻き取りレバー付きコード収納ケースによって保護される。
【実施例】
【０００７】  以下、添付図面に従って一実例を説明する。巻き取りレバー付きコード収納ケース全体の素材は耐久性のあるプラスチックや金属等適宣素材にする。１は巻き取りレバー付きコード収納ケース本体、２は巻いたコードを収納するため、巻き取りレバー付きコード収納ケース本体１内に設けたコード収納室で、このコード収納室２に巻かれるコードは３のＬ字型フックに引っ掛ける。Ｌ字型フック３に引っ掛ける４ａ、４ｂのコードは、巻き取りレバー付きコード収納ケース本体１に収納する前に、５の巻き取りレバー付きコード収納ケース本体１の側面に設けたコードの出し入れをする穴へＵ字型に曲げて差し込む。巻き取りレバー付きコード収納ケース本体１の側面に設けたコードの出し入れをする穴５の付近を、コード４ａ、４ｂと共に軽く指で押えながら、もう片方の手と指を使って、１０のＬ字型フック３と一体となったコード４ａ、４ｂを巻く円柱、それと連動するコードを巻くための底面の６のレバーを回す。Ｌ字型フック３と一体となったコード４ａ、４ｂを巻く円柱１０と、それと連動するコードを巻くための底面のレバー６を回す直前まで、７の開閉可能な蓋については、収納の過程を確認するため開けておき、巻き取りレバー付きコード収納ケース本体１の底面のＬ字型フック３と一体となったコード４ａ、４ｂを巻く円柱１０と、それと連動するコードを巻くための底面のレバー６を回し始める段階で閉じる。上面の蓋７には、８の様に簡単に開け閉めができるよう、上面の蓋７を巻き取りレバー付きコード収納ケース本体１と留めるため、留めフックや留め金を設ける。【０００８】  収納しているコード４ａ、４ｂを引き出すときは、９ａ、９ｂの外部に出ているコードを収納する方向と逆の方向に一緒に引っ張ることで、Ｌ字型フック３と一体となったコード４ａ、４ｂを巻く円柱１０と、それと連動するコードを巻くための底面のレバー６が逆転し、収納されているコード４ａ、４ｂは外部に出てくる。そのとき、上面の蓋７を開ける必要はなく、さらに収納されているコード４ａ、４ｂを全て外部に引き出すときは、コード４ａ、４ｂが、Ｌ字型フック３と巻き取りレバー付きコード収納ケース本体１の側面に設けたコードの出し入れをする穴５との距離で最短となったところで、Ｌ字型フック３とＬ字型フック３と一体となったコード４ａ、４ｂを巻く円柱１０と、それと連動するコードを巻くための底面のレバー６を指先等で収納する方向と逆の方向に少し回せば、コード収納室２において、Ｌ字型フック３とコード４ａ、４ｂが分離し、巻き取りレバー付きコード収納ケース本体１とコードとの分離が簡単にできる。
【図面の簡単な説明】
【０００９】
【図１】本考案の巻き取りレバー付きコード収納ケースー実施例を示した平面図である。
【図２】本考案の巻き取りレバー付きコード収納ケースを示した斜面図である。
【符号の説明】
【００１０】１    巻き取りレバー付きコード収納ケース本体
２    コード収納室
３    コードを引っ掛けるためのＬ字型フック
４    収納ケース内部のコード
５    コードを出し入れするための穴
６    レバー
７    蓋
８    蓋の開閉用フック、留め金
９    収納ケース外部のコード
１０  コードを巻くためのＬ字型フックと一体の円柱
【図１】
0003142044.tif 000003
【図２】
0003142044.tif 000004